(57)【要約】【課題】本発明は、通風抵抗を小さくして通風流量を充分にかつスムーズに確保し、殺菌・脱臭などの触媒による空気浄化効果を効果的かつ効率的に発揮する空気浄化装置を提供する。【解決手段】本発明に係る空気浄化装置は、酸化触媒または還元触媒を担持した触媒担持体２０をダクト１１内にその長手方向に沿って設けるとともに、触媒担持体２０の両端部に上流側じゃま板２１および下流側じゃま板２２をそれぞれ設け、上流側じゃま板２１および下流側じゃま板２２間を触媒担持体２０により担持体上流側領域２４と担持体下流側領域２５とに区画し、担持体上流側領域２４は、ダクト１１内上流側流路１２ａに連通される一方、担持体下流側領域２５は、ダクト１１内下流側流路１２ｂに連通されたものである。【選択図】  図４
2007089754.tif 000002
【特許請求の範囲】
【請求項１】
酸化触媒または還元触媒を担持した触媒担持体をダクト内にその長手方向に沿って設けるとともに、
前記触媒担持体の両端部に上流側じゃま板および下流側じゃま板をそれぞれ設け、
上記上流側じゃま板および下流側じゃま板間を触媒担持体により担持体上流側領域と担持体下流側領域とに区画し、
上記担持体上流側領域は、ダクト内上流側流路に連通される一方、前記担持体下流側領域は、ダクト内下流側流路に連通されたことを特徴とする空気浄化装置。
【請求項２】
前記触媒担持体は、多孔質構造、格子構造、ハニカム構造あるいはメッシュ構造に構成され、担持体上流側領域は触媒担持体を介して担持体下流側領域に連通され、前記触媒担持体の表面および孔内に酸化触媒または還元触媒が担持された請求項１記載の空気浄化装置。
【請求項３】
前記触媒担持体は、上流側じゃま板および下流側じゃま板の少なくとも一方を介してダクト内周壁に固定された請求項１記載の空気浄化装置。
【請求項４】
前記触媒担持体は、ダクト内空間を２分割するように、ダクト内長手方向に沿って延設されたプレート状あるいは捩れプレート状の仕切プレートで構成した請求項１記載の空気浄化装置。
【請求項５】
前記触媒担持体は、筒状構造に構成され、この触媒担持体は上流側じゃま板または下流側じゃま板を介してダクト内周壁に片持梁状に支持され、触媒担持体の自由端側は下流側じゃま板または上流側じゃま板の端板で閉塞された請求項１記載の空気浄化装置。
【請求項６】
前記触媒担持体は、筒状担持体と、この筒状担持体内に設けられる仕切担持体プレートとから一体に構成され、仕切担持体プレートは、筒状担持体内の空間を複数の小空間に仕切り、各小空間が筒状担持体の長手方向にかつ平行に延設された請求項１または５記載の空気浄化装置。
【請求項７】
前記仕切担持体プレートは、平板状あるいは横断面十字状に形成された請求項６記載の空気浄化装置。
【請求項８】
前記仕切担持体プレートは横断面十字状に形成され、仕切担持体プレートの中央部に長手方向に補強マンドレルを延設し、この補強マンドレルを上流側じゃま板および下流側じゃま板に連結された請求項６記載の空気浄化装置。
【請求項９】
前記筒状担持体は、弾性材料で形成され、ダクト内周壁に固定された内周フランジ状のじゃま板に筒状担持体が片持梁状に設けられ、筒状担持体の自由端側がスペーサを介してダクト内周壁にダクト長手方向に沿って保持された請求項１記載の空気浄化装置。
【請求項１０】
前記触媒担持体は、角筒状あるいは円筒状の筒状担持体を有し、この筒状担持体の内周壁にヘリカルプレートを長手方向に沿って改装された請求項１または５記載の空気浄化装置。
【請求項１１】
前記ヘリカルプレートは外周側より内周側がダクト下流側にシフトせしめられた請求項１０記載の空気浄化装置。
【請求項１２】
前記触媒担持体は、角筒状および円筒状の筒状担持体を有し、この筒状担持体の上流側開口を集塵フィルタで覆設した請求項１または５記載の空気浄化装置。
【請求項１３】
前記集塵フィルタはプレート状あるいは上流側に凸形状に形成された請求項１記載の空気浄化装置。
【請求項１４】
前記触媒担持体は、担持体外筒とこの外筒内に収容される担持体内筒とから多重筒構造に構成され、この触媒担持体は、一側が内周フランジ状のじゃま板によりダクト内周壁に固定される一方、触媒担持体の他側が触媒体外筒とその内筒との間が環状端板としてのじゃま板で閉塞され、前記触媒担持体とダクト内周壁との間を内周フランジ状のじゃま板で、また担持体内筒は端板で閉塞され、
前記触媒担持体をダクト内周壁とのスリーブ状空間および担持体内筒内の空間が担持体上流側領域あるいは担持体下流側領域に形成され、担持体外筒と担持体内筒との間の空間が担持体下流側領域に形成され、担持体外筒と担持体内筒との間の空間が担持体下流側領域あるいは担持体上流側領域に形成された請求項１記載の空気浄化装置。
【請求項１５】
前記触媒担持体は、多数の長手方向貫通孔を有する柱状体で構成し、前記柱状体を上流側じゃま板と下流側じゃま板の間で保持する一方、前記各貫通孔は上流側および下流側の一方が閉塞され、下流側が閉塞された各貫通孔内空間を担持体上流側領域に形成し、上流側が閉塞された各貫通孔空間を担持体下流側領域に形成し、前記柱状体とダクト内周壁の間のスリーブ状空間を担持体上流側領域あるいは担持体下流側領域に形成し、上記担持体上流側領域をダクト内上流側流路に、担持体下流側領域をダクト内下流側流路にそれぞれ連通させた請求項１記載の空気浄化装置。
【発明の詳細な説明】
【技術分野】
【０００１】
本発明は、触媒作用で空気を浄化させる空気洗浄装置に係り、特に、酸化または還元触媒を用いた空気浄化装置に関する。
【背景技術】
【０００２】
一般に、この種の空気浄化装置は、建物の室内や冷蔵庫の庫内や乗物内の空気に含まれている臭気成分や有害成分を分解して脱臭したり、浄化するようになっている。
【０００３】
このうち、冷蔵庫に備えられる空気浄化装置は、特許文献１に記載されたように構成され、角筒状のダクト内に形成される流路に脱臭装置として設けられる。この脱臭装置は、流路内にプレフィルタ、放電手段、光触媒モジュールおよびオゾン分解手段を順次配置し、流路に案内される空気に、放電手段による高電圧放電により紫外線やオゾンを発生させ、発生した紫外線を光触媒モジュールにより光触媒作用させ、またオゾンをオゾン分解手段によりオゾン分解作用させて庫内の冷気に含まれている臭気成分や有害成分を酸化分解し、脱臭したり、空気浄化している。
【０００４】
しかし、空気浄化装置は、ダクト内の流路にプレフィルタ、放電手段、光触媒モジュールおよびオゾン分解手段等の多数の装置構成機器をそれぞれ配置した構成のため、ダクト内流路の通風抵抗が大きく通風流量を充分に確保することができない。このため、空気浄化装置は、殺菌や脱臭作用に寄与する流体流量が少なく、充分な空気浄化効果を挙げることが困難であった。
【０００５】
また、従来の空気浄化装置は、図２４および図２５に示すように、角筒状ダクト１内に形成される流路２を横断するように、直交方向または斜めに触媒担持体３または４が設置される。触媒担持体３または４は、多孔質構造やハニカム構造に構成され、酸化触媒や還元触媒を担持している。
【０００６】
触媒担持体３または４をダクト１内の流路（通風断面積：Ｓ０）２に直交するように横断設置したり、斜設しているが、横断設置した場合、耐風圧の関係から点線で示す担持体厚みがＴ０と大きくしなければならず、通風抵抗が増大する。触媒担持体３を斜設した場合にも、実線で示す担持体幅がＴ１だけ必要となる。
【０００７】
触媒担持体３または４に酸化または還元触媒を担持させてダクト１内の流路２の横断面を覆うように断面全域に配置すると、触媒担持体３は体積Ｖ（＝Ｓ０・Ｔ０）となり、通風抵抗はＲ０・Ｒ１の曲線で表わされるように大きい。
【０００８】
触媒担持体３をダクト１内流路２に横断配置した場合には、図２６に示すように、空気浄化装置の通風抵抗は曲線Ｒ０で表わされ、図示しない送風機の送風特性（曲線Ｃ０）との組合せでは、大きな圧力損失Ｐ０が発生し、通風風量はＱ０と少ない。
【０００９】
触媒担持体４をダクト１内の流路２に長手方向に斜めに配置した場合には、通風抵抗は通風抵抗曲線Ｒ１で表わされ、通風流量Ｑ１とやや増加するものの大きく、空気浄化装置により、殺菌や脱臭などの浄化反応に寄与する流体流量（通風量）が少なく、空気浄化効果が小さい。
【００１０】
また、触媒担持体３または４の担持体材料はセラミック、紙などが用いられるために、機械的・物理的強度が弱く、剛性上問題があった。
【００１１】
さらに、空気浄化装置に用いられるダクト１は、多くの場合、直線的ではなく、途中で曲がったり、流路断面積が変化している。しかも、空気浄化装置１に案内される空気は、一般に塵埃などを含んでおり、触媒担持体３または４に目詰まりが発生し易く、目詰まりが発生すると通風抵抗がより大きくなり、メンテナンスのインターバルが短くなって、メンテナンスコストが割高になる課題があった。
【特許文献１】特開２００１−３５５９５８号公報
【発明の開示】
【発明が解決しようとする課題】
【００１２】
本発明は、上述した事情を考慮してなされたもので、通風抵抗を小さくして通風流量を充分に確保し、殺菌・脱臭などの空気浄化効果を効率的に発揮することができる酸化または還元触媒を用いた空気浄化装置を提供することを目的とする。
【００１３】
本発明の他の目的は、非直線的ダクトにも対応でき、触媒担持体が目詰まりしにくくメンテナンスのインターバルを長期化し、メンテナンスコストを低減させた酸化または勧化触媒を用いた空気浄浄化装置を提供することにある。
【課題を解決するための手段】
【００１４】
本発明に係る空気浄化装置は、上述した課題を解決するために、請求項１に記載したように、酸化触媒または還元触媒を担持した触媒担持体をダクト内にその長手方向に沿って設けるとともに、前記触媒担持体の両端部に上流側じゃま板および下流側じゃま板をそれぞれ設け、上記上流側じゃま板および下流側じゃま板間を触媒担持体により担持体上流側領域と担持体下流側領域とに区画し、上記担持体上流側領域は、ダクト内上流側流路に連通される一方、前記担持体下流側領域は、ダクト内下流側流路に連通されたものである。
【発明の効果】
【００１５】
本発明に係る空気浄化装置においては、触媒担持体を通る通風抵抗を小さくして通風流量を充分かつスムーズに確保し、殺菌・脱臭などの触媒による空気浄化効果を効率的かつ効果的に発揮することができる。
【００１６】
本発明に係る空気浄化装置は非直線的ダクトにも対応でき、触媒担持体が目詰まりを起こしにくく、メンテナンスのインターバルを長期化し、メンテナンスコストを大幅に低減させることができる。
【発明を実施するための最良の形態】
【００１７】
本発明に係る空気浄化装置の実施形態について添付図面を参照して説明する。
【００１８】
［第１実施形態］
図１および図２は本発明に係る空気浄化装置の第１実施形態をそれぞれ示す図である。この空気浄化装置１０は、建物内や冷蔵庫の庫内に設けられ、酸化触媒または還元触媒の触媒作用を利用して殺菌・脱臭等の空気浄化を行なうものである。
【００１９】
空気浄化装置１０は、建物や車内、冷蔵庫の庫内に配置される角筒状（円筒状でもよい。）のダクト１１を有し、このダクト１１内に空気が案内される流路１２が形成される。ダクト１１内の流路１２には酸化触媒または還元触媒を担持した触媒担持体１３が流路長手方向に沿って設置され、格納される。触媒担持体１３は金属材料、樹脂材料、あるいはセラミック材料、好ましくは弾性材料で形成され、多孔質構造、格子構造、ハニカム構造あるいはメッシュ構造に構成される。
【００２０】
触媒担持体１３は、矩形のプレート状に形成され、ダクト１１内の流路１２を担持体上流側領域１５と担持体下流側領域１６とに区画している。触媒担持体１３は、ダクト１３内の横断面を略等分に区分している。
【００２１】
触媒担持体１３の両端部に流路１２を部分的に閉塞する上流側および下流側じゃま板１７，１８がそれぞれ堰きとして設けられ、触媒担持体１３の一端側は上流側じゃま板１７を介して流路１２の内周壁に設けられ、その他端側は下流側じゃま板１８を介して流路１２の反対側内周壁に設けられる。触媒担持体１３は、上流側じゃま板１７および下流側じゃま板１８によりダクト１１内流路１２の長手方向に沿って平行に固定され、ダクト１１内に格納される。
【００２２】
触媒担持体１３により上流側および下流側じゃま板１７，１８間に形成される担持体上流側領域１５は上流側じゃま板１７の開口を介してダクト１１の上流側流路１２ａに連通され、担持体下流側領域１６は下流側じゃま板１８の開口を介してダクト１１の下流側流路１２ｂに連通される。また、担持体上流側領域１５は担持体下流側領域１６に触媒担持体１３の反応孔（連通孔）を介して連通している。この反応孔に酸化触媒や還元触媒が担持されている。
【００２３】
空気浄化装置１０のダクト１１は、触媒担持体１３がダクト１１の横断面を略等分に二分するようにダクト断面の略中央に、ダクト長手方向に沿って配置される。触媒担持体１３の厚さをＴ（＜＜Ｔ０）、面積をＳ（＝Ｖ／Ｔ＞＞Ｓ０）とすると、長手方向長さを適宜調整することにより、面積Ｓが非常に大きくなり、この空気浄化装置１０の通風抵抗Ｒは、
［数１］
Ｒ≒Ｒ０・（Ｔ／Ｔ０）・（Ｓ０／Ｓ）２＝Ｒ０・（Ｔ／Ｔ０）３
となり、Ｒ０より充分に小さくなる。
【００２４】
すなわち、空気浄化装置１０の通風抵抗曲線Ｒは、触媒担持体１３の表面積Ｓが非常に大きくなり、図３に示すように構成され、従来の空気浄化装置の通風抵抗曲線Ｒ０・Ｒ１より小さくなり、通風特性がＣ０で表わされる従来と同じ送風機のものでは通風流量Ｑが増加する。
【００２５】
通風流量Ｑの増加により、空気中に含まれ、触媒に接触・付着または接近した物質は触媒の酸化または還元反応によって分解される。例えば、アンモニア（ＮＨ３）、アセトアルデヒド（ＣＨ３ＣＨＯ）などの分子量の小さな臭気性ガスなどは、流速が数ｍ／ｓｅｃ程度以下の範囲で通風流量が増加すると、分解されるガス量が増加し、空気浄化効果は大きくなる。
【００２６】
なお、この空気浄化装置１０において、触媒担持体１３を矩形プレート状に形成してダクト長手方向に平行に配設した例を示したが、上流側じゃま板１７および下流側じゃま板１８の堰の高さを小さくして、矩形プレート状の触媒担持体１３を斜めに設けてもよい。この場合にも、触媒担持体１３の表面積が大きくなる分、通風抵抗を小さくすることができる。さらに、触媒担持体１３に捩りを入れ、捩られた触媒担持体１３の両端部を上流側じゃま板１７と下流側じゃま板１８で支持させてもよい。
【００２７】
［第２実施形態］
図４および図５は、本発明に係る空気浄化装置の第２実施形態を示すものである。
【００２８】
この実施形態に示された空気浄化装置１０Ａは、角筒状あるいは円筒状のダクト１１内の流路１２に、酸化触媒あるいは還元触媒を担持した筒状の触媒担持体２０が、ダクト１１の長手方向に沿ってほぼ平行に格納される。触媒担持体２０の両端部に内周フランジを形成する上流側じゃま板２１と閉塞板を形成する下流側じゃま板２２とが設けられ、触媒担持体２０は上流側じゃま板２１を介してダクト１１の内周壁に設けられる。触媒担持体２０は、角筒状あるいは円筒状等の筒状担持体２３を有し、この筒状担持体２３は、金属材料、セラミック材料、あるいは樹脂材料、好ましくは弾性材料で形成され、多孔質構造、格子構造、ハニカム構造あるいはメッシュ構造に構成される。
【００２９】
触媒担持体２０は上流側じゃま板２１に片持梁状に固定され、触媒担持体２０の自由端側に下流側じゃま板２２が端板あるいは閉塞板として設けられる。触媒担持体２０は内部に担持体上流側領域２４を形成し、触媒担持体２０の外周側とダクト内周壁との間で担持体下流側領域２５を形成している。上流側じゃま板２１と下流側じゃま板２２との間は、筒状触媒担持体２０により担持体上流側領域２４と担持体下流側領域２５とに区画される。
【００３０】
担持体上流側領域２４は、担持体下流側領域２５に触媒担持体２０の多数の反応孔（貫通孔、網目孔）を介して連通される一方、担持体上流側領域２４は上流側じゃま板２１の開口（フランジ口）を介してダクト上流側流路１２ａに連通され、担持体下流側領域２５は、下流側じゃま板２２周りの環状開口を介してダクト下流側流路１２ｂに連通される。
【００３１】
触媒担持体２０は酸化触媒や還元触媒を担持して筒状、好ましくは角筒状（円筒状や楕円筒状であってもよい。）をなし、端板としての下流側じゃま板２２で閉塞される。下流側じゃま板２２は、プレート状の触媒担持体構造に構成してもよい。この場合、端板としての触媒担持体の肉厚は、筒状触媒担持体２０の厚みより大きく形成され、端板としての触媒担持体を通る空気流量が筒状担持体２３を通る空気流量との間で調整される。
【００３２】
触媒担持体２０は、第１実施形態に示された触媒担持体１３と同じ材料で、同じ構造に構成される。
【００３３】
第２実施形態に示された空気浄化装置１０Ａにおいては、触媒担持体２０のダクト長手方向に垂直な面の投影形状を環状とし、触媒担持体２０とダクト内周壁との間に隙間（スリーブ状空間）を設け、筒状触媒担持体２０内に担持体上流側領域２４を、触媒担持体２０の外周側に担持体下流側領域２５をそれぞれ形成する。
【００３４】
そして、筒状触媒担持体２０を上流側じゃま板２１を介してダクト内周壁に固定し、触媒担持体２０を筒状に構成したので、空気流通用表面積、ひいては空気の通過面積を充分に大きくとることができ、通風抵抗Ｒを小さくして空気流量Ｑを増加させることができる。
【００３５】
この空気浄化装置１０Ａにおいても、空気中に含まれる臭気成分や有害成分を、触媒担持体２０に担持された酸化触媒や還元触媒と積極的に接触させたり、付着または接近させることができ、酸化または還元反応によって分解させ、空気浄化作用を効率よく効果的に行なうことができる。下流側じゃま板２２を触媒担持体で構成した場合には、触媒担持体の接触面積とにより増加させることができるので、空気浄化作用はより一層向上する。
【００３６】
なお、図４に示された空気浄化装置１０Ａは、筒状の触媒担持体２３を上流側じゃま板２１を介してダクト内周壁に固定した例を示したが、上流側じゃま板を端板で構成し、下流側じゃま板を内周フランジ状あるいはリング状に形成し、筒状の触媒担持体２３を下流側じゃま板２２によりダクト内周壁に片持梁状に固定し、この触媒担持体２３の自由端側を端板としての上流側じゃま板で閉塞してもよい。
【００３７】
この場合には、空気浄化装置１０Ａは、筒状触媒担持体２３とダクト内周壁との間にスリーブ状の担持体上流側領域が、触媒担持体２３内に担持体下流側領域が形成される。担持体上流側領域は上流側じゃま板外周側の開口を通じてダクト内上流側流路１２ａに連通され、担持体下流側領域は下流側じゃま板の中央側開口を通じてダクト内下流側流路１２ｂに連通される。
【００３８】
［第３実施形態］
図６および図７は、本発明に係る空気浄化装置の第３実施形態を示すものである。
【００３９】
この実施形態に示された空気浄化装置１０Ｂは、酸化触媒または還元触媒を担持した触媒担持体３０の構造に特徴を有し、他の構成および作用は第２実施形態に示された空気浄化装置１０Ａと異ならないので、同じ構成には同一符号を付して説明を省略する。
【００４０】
空気浄化装置１０Ｂの触媒担持体３０は、角筒状あるいは円筒状等の筒状担持体２３を有し、この筒状担持体２３内にブリッジ状の仕切担持体プレート３１を筒状担持体２３の長手方向に介装させて一体化し、横断面「日」形状に構成したもので、触媒担持体３０の物理的・機械的強度を向上させたものである。仕切担持体プレート３２は筒状担持体３１内の内部空間を２分するように設けられる。仕切られた内部空間（小空間）は筒状担持体３１の長手方向にかつ平行に延設される。この仕切担持体プレート３２は筒状担持体３１内に斜めに設置してもよい。
【００４１】
空気浄化装置１０Ｂの触媒担持体３０は、上流側じゃま板１７と下流側じゃま板１８との間で、触媒担持体３０内に内部空間を長手方向に沿って２分された担持体上流側領域２４と触媒担持体３０の外周側かつダクト１１内周壁との間に形成された担持体下流側領域２５とに区画される。
【００４２】
担持体上流側領域２４は筒状の触媒担持体３０の網目状あるいは貫通穴形状の反応孔を介して担持体下流側領域２５に連通される。触媒担持体３０の反応孔には酸化触媒や還元触媒が担持されている。また、担持体上流側領域２４は、内周フランジ状の上流側じゃま板２１の開口（連通口）を介してダクト１１内の上流側流路１２ａに連通され、担持体下流側領域２５は端板としての下流側じゃま板２２の外周側開口を介してダクト１１の下流側流路１２ｂに連通される。
【００４３】
下流側じゃま板２２は、第２実施形態の空気浄化装置１０Ａで示されたものと同様、プレート状の触媒担持体で構成してもよい。この場合、下流側じゃま板２２を構成する触媒担持体の厚みを筒状触媒担持体３０の筒状担持体２０や仕切担持体プレート３１の厚みより厚くすることが望ましい。
【００４４】
図６および図７に示された空気浄化装置１０Ｂは、第２実施形態に示された触媒担持体２０と同様、触媒担持体３０の筒状担持体３１の厚みを薄くすることができ、長手方向長さを大きくとれば、空気の通過面積は充分に大きくとることができ、通過風量が増加する。
【００４５】
その際、触媒担持体３０は担持体上流側領域２４内に仕切プレート３１を一体に備えて梁の効果が生じ、物理的・機械的強度が補強された補強構造に構成される一方、触媒担持体３０の接触面積をより増大させることができ、酸化あるいは還元反応の促進を図ることができる。下流側じゃま板２２を触媒担持体で構成した場合により、酸化あるいは還元反応をより一層促進させることができる。
【００４６】
また、空気浄化装置１０Ｂは、筒状の触媒担持体３０内の空間を担持体上流側領域２４として、触媒担持体３０とダクト内周壁との間を担持体下流側領域２５とした例を示したが、第２実施形態と同様に、筒状の触媒担持体３０内を担持体下流側領域に、触媒担持体３０とダクト内周壁との間を担持体上流側領域にそれぞれ構成してもよい。この場合、上流側じゃま板を端板に、下流側じゃま板が内周フランジ状あるいはリング状に形成され、図６に示された上流側じゃま板２１と下流側じゃま板２２と入れ替えられる。
【００４７】
［第４実施形態］
図８および図９は、本発明に係る空気浄化装置の第４実施形態を示すものである。
【００４８】
この実施形態に示された空気浄化装置１０Ｃは、酸化触媒または還元触媒を担持した触媒担持体３５の構造に特徴を有し、他の構成および作用は、第２実施形態に示された空気浄化装置１０Ａと異ならないので、同じ構成には同一符号を付して説明を省略する。
【００４９】
空気浄化装置１０Ｃの触媒担持体３５は、角筒状あるいは円筒状等の筒状担持体２３内に横断面十字状の仕切担持体プレート３６を筒状担持体２３の長手方向に介装させて一体化したものである。筒状担持体２３と補強プレートを兼ねた仕切担持体プレート３６とは一体構造に形成され、内部に担持体上流側領域２４が形成される。この担持体上流側領域２４は筒状担持体２３内に仕切担持体プレート３６を介装することにより複数、例えば４つの小領域（小空間）に区画される。筒状担持体２３および仕切担持体プレート３６は、触媒担持体３５で構成される一方、触媒担持体３５の端部を覆う端板としての下流側じゃま板２２もディスク状あるいはプレート状の触媒担持体で構成してもよい。
【００５０】
また、触媒担持体３５の外周側に、ダクト１１の内周壁との間に担持体下流側領域２５が形成され、この担持体下流側領域２５は担持体上流側領域２４に触媒担持体３５の多数の網目状あるいは貫通孔状の反応孔（小孔）を介して連通される。担持体上流側領域２４は、内周フランジとしての上流側じゃま板２１の開口を介してダクト１１の上流側流路１２ａに連通され、担持体下流側領域２５は、下流側じゃま板２２とダクト内周壁との間のトーラス状あるいはリング状開口を介してダクト下流側流路１２ｂに連通される。
【００５１】
この触媒担持体３５は筒状担持体２３を介して担持体上流側領域２４と担持体下流側領域２５を連通させたから、触媒を担持した流路面積を大きくとることができ、さらに、筒状担持体２３内に横断面十字状の仕切担持体プレート３６を設けたので、触媒接触面積を増大させることができる。下流側じゃま板２２を触媒担持体で構成した場合には、流路面積をより一層増加させることができる。
【００５２】
第４実施形態に示された空気浄化装置１０Ｃは、触媒担持体３５を筒状担持体２３とその内部に設けられる横断面十字状の仕切担持体プレート３６にて一体に構成したので、触媒担持体３５の物理的・機械的強度をより一層向上させることができる一方、強度を向上させ、剛性を高めても異方性を減少させることができる。
【００５３】
また、触媒担持体３５は、横断面十字状の仕切担持体プレート３６を内部に備えて筒状担持体２３で構成したので、空気の通過面積を充分大きくとることができ、かつ、空気と接触する触媒担持体の接触表面積も増大させることができるので、空気流量を増加させることができ、酸化または還元反応によって分解される物質（臭気成分や有害成分）を増加させることができる。
【００５４】
第４実施形態に示される空気浄化装置１０Ｃにおいても、触媒担持体３５内に担持体上流側領域２４を、触媒担持体３５とダクト内周壁との間にスリーブ状の担持体下流側領域２５をそれぞれ形成した例を示したが、触媒担持体３５内を担持体下流側領域に、触媒担持体３５とダクト内周壁との間をスリーブ状の担持体上流側領域にそれぞれ形成してもよい。この場合にも、上流側じゃま板２１と下流側じゃま板２２は互いに入れ替わり、上流側じゃま板を端板形状に、下流側じゃま板は内周フランジ形状にそれぞれ形成してもよい。
【００５５】
［第５実施形態］
図１０および図１１は、本発明に係る空気浄化装置の第５実施形態を示すものである。
【００５６】
この実施形態に示された空気浄化装置１０Ｄの基本的構造は、図８および図９に示された空気浄化装置１０Ｃと補強構造を除いて異ならないので、同じ構成および作用には同一符号を付して説明を省略する。
【００５７】
第５実施形態に示された空気浄化装置１０Ｄは、内周フランジとしての上流側じゃま板２１の中央開口部に補強部材として横断面十字状のクロスバー３８を介装させる一方、このクロスバーの中央部と下流側じゃま板２２の中央部とを補強を兼ねた連結バー（補強マンドレル）３９で連結し、触媒担持体４０を片持梁状にサポートしている。連結バー３９は、クロスバー３８を介して上流側じゃま板２１と下流側じゃま板２２とを連結し、筒状の触媒担持体４０の機械的・物理的強度を向上させ、剛性アップを図っている。
【００５８】
触媒担持体４０は、角筒状（あるいは円筒状）の筒状担持体２３内に横断面十字状の仕切担持体プレート３６が介装されて一体化される一方、仕切担持体プレート３６の中心部に高強度の部材として連結バー３９が補強マンドレルとして長手方向に沿って介装され、触媒担持体４０が補強される。
【００５９】
この触媒担持体４０は、筒状担持体２３内に担持体上流側領域２４が形成され、この担持体上流側領域２４は、仕切担持体プレート３６により４つの小領域（小空間）に区画される。担持体上流側領域２４は、上流側じゃま板２１のクロスバー３８により形成される基盤目状（格子状）の開口を介してダクト１１内の上流側流路１２ａに連通される。
【００６０】
担持体上流側領域２４は触媒担持体３５の筒状担持体２３を介してスリーブ状の担持体下流側領域２５に連通され、この下流側領域２５は、下流側じゃま板２２の外周側とダクト内周壁とで形成されたトーラス状あるいはリング状開口を介してダクト下流側領域１２ｂに連通している。
【００６１】
触媒担持体３５は、角筒状（あるいは円筒状）のダクト１１内に固定された内フランジ状の上流側じゃま板２１に片持梁状に取り付けられる。この場合、下流側じゃま板２２が高強度の連結バー３９を介して上流側じゃま板２１のクロスバー３８に連結され、上流側じゃま板２１はダクト１１の内周壁に固定されるので、触媒担持体３５は、支持強度が向上し、大きな剛性力をもって片持梁状に保持される。
【００６２】
また、空気浄化装置１０Ｄを構成する触媒担持体４０は、角筒状の筒状担持体２３と横断面十字状の仕切担持体プレート３６より一体に構成される一方、仕切担持体プレート３６の中心部に軸方向（長手方向）に延設された連結バー３９で強度的に補強される。連結バー３９の両端部は上流側じゃま板２１のクロスバー３８と下流側じゃま板２２に固定され、上流側じゃま板２１を介して筒状ダクト１１の内周壁に固定される。
【００６３】
この空気浄化装置１０Ｄは、片持梁状の触媒担持体４０を上流側じゃま板２１を介してダクト内周壁に固定され、触媒担持体４０は高強度の連結バー３９により補強されて取り付けられる。しかも、この触媒担持体４０内の担持体上流側領域２４はダクト上流側流路１２ａに上流側じゃま板２１の中央開口部を介して連通され、この担持体上流側領域２４に触媒担持体４０を介して連通される担持体下流側領域２５は、下流側じゃま板２２で形成される環状の開口を介してダクト下流側流路１２ｂに連通される。
【００６４】
担持体上流側領域２４は、触媒担持体４０の筒状担持体２３内に複数、例えば４つの小領域（小空間）に分けて形成され、担持体下流側領域２５は、触媒担持体４０の外周側とダクト内周壁との間に形成されるスリーブ状の領域である。
【００６５】
この空気浄化装置１０Ｄにおいても、触媒担持体４０は筒状担持体２３と横断面十字状の仕切担持体プレート３６にて一体構成し、仕切担持体プレート３６の中心部に連結バー３９を設けたので、触媒担持体４０の物理的・機械的強度をより一層向上させることができ、剛性力の大きな保持構造となる。
【００６６】
また、触媒担持体４０は、担持体上流側領域２４を筒状担持体２３を介して担持体下流側領域２５に連通させたので、空気の通過面積を充分に大きくとることができ、かつ、筒状担持体２３内に横断面十字状の仕切担持体プレート３６を介装させて一体構成としたので、触媒と空気の接触表面積を増大させることができ、空気流量を増加させて、酸化または還元反応によって分解される物質を増加させることができる。
【００６７】
この空気浄化装置１０Ｄにおいても、上流側じゃま板を端板形状とし、下流側じゃま板を内周フランジ形状としてクロスバーを連結することにより、触媒担持体４０の内部を担持体下流側領域に、触媒担持体４０とダクト内周壁との間を担持体上流側領域に形成してもよい。
【００６８】
［第６実施形態］
図１２および図１３は、本発明に係る空気浄化装置の第６実施形態を示す図である。
【００６９】
この実施形態に示された空気浄化装置１０Ｅは、筒状のダクト１１Ａが長手方向に沿って少なくとも一面が湾曲成形され、この湾曲部に触媒担持体２０Ａを格納させた例を示す。第２実施形態に示された空気浄化装置１０Ａと同じ構成および作用には同一符号を付して説明を省略する。
【００７０】
触媒担持体２０Ａは、可撓性を有する筒状の弾性材４３で構成され、この弾性材４３に酸化触媒あるいは還元触媒が担持される。筒状弾性材４３は酸化触媒あるいは還元触媒を担持して多数の反応孔（貫通小孔あるいは網目状孔）を有する一方、触媒担持体２０Ａの両端部に上流側じゃま板２１および下流側じゃま板２２が設けられる。上流側じゃま板２１は内周フランジ状に形成されて、ダクト１１Ａの内周壁に固定される。
【００７１】
触媒担持体２０Ａは片持梁状に形成され、自由端側が端板としての下流側じゃま板２２で閉塞される。この下流側じゃま板２２は触媒担持体で構成してもよい。
【００７２】
触媒担持体２０Ａは筒状弾性材４３で構成され、湾曲した筒状ダクト１１Ａの湾曲部に沿って湾曲形成されるようにスペーサ４４で保持される。スペーサ４４はバー状をなし、筒状弾性材４３の外周側に複数本、例えば放射状に配設される。図１３には、ダクト１１Ａの内周壁と触媒担持体２０Ａと外周との間に例えば８本のスペーサ４４を介装した例を示す。複数のスペーサ４４を介装させることで、触媒担持体２０Ａを筒状ダクト１１Ａ内の流路に沿わせて長手方向に配設することができる。
【００７３】
また、触媒担持体２０Ａ内に担持体上流側領域２４が形成され、この担持体上流側領域２４は上流側じゃま板２１の中央開口部を介してダクト１１Ａの上流側流路１２ａに形成される一方、担持体上流側領域２４は触媒担持体２０Ａを介して担持体下流側領域２５に連通される。担持体下流側領域２５はダクト内周壁と触媒担持体２０Ａとの間に形成されるスリーブ状領域であり、担持体下流側領域２５は、下流側じゃま板２２外周側のトーラス状あるいはリング（環）状開口部を介してダクト下流側流路１２ｂに連通される。
【００７４】
しかして、筒状のダクト１１Ａ内を案内される空気は、ダクト上流側領域１２ａから上流側じゃま板２１の中央開口部（中央入口部）を経て担持体上流側領域２４に案内される。この担持体上流側領域２４に案内された空気は、触媒担持体２０Ａの反応孔を通って担持体下流側領域２５に導かれ、環状開口部（環状出口）を通ってダクト下流側流路１２ｂに案内される。
【００７５】
空気が触媒担持体２０Ａ内を流通するとき、酸化触媒あるいは還元触媒と接触して触媒反応が生じ、脱臭・殺菌作用を受けて空気浄化される。その際、触媒担持体２０Ａは、筒状構造に形成され、筒状体の少なくとも全周側面が空気浄化領域として構成されるので、触媒担持体２０Ａの長手方向長さを充分にとれば、空気の通過面積を大きくとることができ、空気流路を増加させることができる。これにより、触媒担持体２０Ａの酸化または還元反応によって分解される物質を増加させ、臭気成分や有害成分を有効的に効率よく除去できる。
【００７６】
この空気浄化装置１０Ｅにおいても、触媒担持体２０Ａの内部空間を担持体下流側領域に、触媒担持体２０とダクト内周壁との間を担持体上流側領域に形成してもよい。
【００７７】
［第７実施形態］
図１４および図１５は、本発明に係る空気浄化装置の第７実施形態を示す図である。
【００７８】
この実施形態に示された空気浄化装置１０Ｆは、酸化触媒または還元触媒を担持した筒状の触媒担持体２０の内部にヘリカル状のプレート４６を介装したものである。他の構成および作用は、第２実施形態に示された空気浄化装置１０Ａと異ならないので、同じ構成には同一符号を付して説明を省略する。
【００７９】
ヘリカル状のプレート４６は、触媒担持体２０の角筒状（あるいは円筒状）の筒状体２３の内周壁に設けられ、固定される。ヘリカル状のプレート４６は、外周側が筒状体２３の内周壁に取り付けられる一方、プレート内周側はその外周側より空気流れ方向にシフトし、内部に螺旋スロープ状のヘリカル流路を構成し、このヘリカル流路を担持体上流側領域２４Ａに形成している。この担持体上流側領域２４Ａは、触媒担持体２０に形成された多数の反応孔を介して担持体下流側領域２５に連通される。
【００８０】
担持体上流側領域２４Ａは、上流側じゃま板２１の中央開口部（中央入口部）を介してダクト上流側流路１２ａに連通され、担持体下流側領域２５は下流側じゃま板２２外周側の環状開口部を介してダクト下流側流路１２ｂに連通される。担持体下流側領域２５は筒状担持体２０とダクト内周壁との間に形成される。
【００８１】
この空気浄化装置１０Ｆは、筒状ダクト１１内で上流側じゃま板２１に片持梁状に設けられた筒状の触媒担持体２０を格納し、この触媒担持体２０は筒状担持体２３内にヘリカル流路を構成し、このヘリカル流路を担持体上流側領域２４に構成する。ヘリカル流路は触媒担持体２０内に案内された空気を螺旋状に、かつヘリカルプレート４６は内周側が下流側内側を向くように傾斜しているのでスロープ状に、撹拌されつつ案内され、筒状の触媒担持体２０の多数の反応孔（網目孔）を通って担持体下流側領域２５に導かれ、続いてダクト下流側流路１２ｂに案内される。
【００８２】
この空気浄化装置１０Ｆにおいては、ダクト１１内を案内される空気は、触媒担持体２０内に格納されたヘリカルプレート４６により撹拌され、筒状触媒担持体２０内に導かれるので、触媒担持体２０の軸方向長さ（長手方向長さ）を適宜選択することにより、空気の通過面積を充分に大きくとることができ、空気流量を増加させて、触媒担持体２０の酸化または還元反応によって空気浄化を促進させることができる。
【００８３】
その際、筒状の触媒担持体２０内の担持体上流側領域２４で、ヘリカルプレート４６により空気が撹拌されるので、ヘリカルプレート４６のプレート表面に酸化あるいは還元触媒を担持させることにより、ヘリカルプレート４６を触媒担持体として構成してもよい。ヘリカルプレート４６を担持体とすることにより、担持体上流側領域２４のヘリカル流路に案内される空気（撹拌流体）をプレート表面に接触させ、触媒反応をより積極的に促進させることができる。
【００８４】
また、筒状の触媒担持体２０に格納されたヘリカルプレート４６により、触媒担持体２０が補強される一方、触媒担持体２０に案内された空気は、担持体上流側領域２４をヘリカル流路（螺旋スロープ）に沿って旋回しながら進み、旋回速度成分を持った流れとなるので、触媒担持体２０の厚み方向にではなく、斜めに通過する。これにより、空気は、触媒担持体２０の実際の厚さ（放射方向の肉厚）より厚い接触長さを有し、触媒反応を効率的に行なうことができる。したがって、触媒担持体２０を通過する空気は、担持された酸化あるいは還元触媒と接触したり、付着し、接近し、酸化または還元反応によって分解される物質が増加し、空気浄化効果が効率よく能率的に発揮される。
【００８５】
この空気浄化装置においても、筒状の触媒担持体の内部空間を担持体下流側領域に、触媒担持体をダクト内周壁との間のスリーブ状空間を担持体上流側領域に形成してもよい。
【００８６】
［第８実施形態］
図１６および図１７は、本発明に係る空気浄化装置の第８実施形態を示す図である。
【００８７】
この実施形態に示された空気浄化装置１０Ｇは、上流側じゃま板２１の中央開口部（中央入口部）を上流側から覆うように集塵フィルタ４８を着脱可能に設けたものであり、他の構成および作用は第２実施形態に示された空気浄化装置１０Ａと異ならないので同じ構成には同一符号を付して説明を省略する。
【００８８】
図１６に示された空気浄化装置１０Ｇは、上流側じゃま板２１の中央開口部を覆うプレート状の集塵フィルタ４８を設け、この集塵フィルタ４８で空気中に浮遊する塵埃などを除去し、筒状の触媒担持体２０の目詰まりを防止している。
【００８９】
筒状の触媒担持体２０の流入側を集塵フィルタ４８で覆うことで、このフィルタ作用で空気中の塵埃を除去し、清浄化された空気を担持体上流側領域２４に案内している。したがって、触媒担持体２０の目詰りを有効的にかつ効率よく防止でき、触媒担持体２０による触媒反応を長期に亘り、効率よく発揮することができる。したがって、触媒担持体２０は、長期に亘り空気浄化効果を保つことができる。
【００９０】
第８実施形態に示された空気浄化装置１０Ｇも、筒状の触媒担持体内を担持体下流側領域に、触媒担持体とダクト内周壁との間のスリーブ状空間を担持体上流側領域にそれぞれ形成してもよい。この場合、担持体上流側領域は上流側環状開口が集塵フィルタで覆設される。
【００９１】
［変形例］
図１８および図１９は、本発明に係る空気浄化装置の第８実施形態における変形例を示すものである。
【００９２】
この変形例に示された空気浄化装置１０Ｈは、上流側じゃま板２１の中央開口部を覆う集塵フィルタ４８Ａのフィルタ構造を改良し、フィルタ面積を増加させたものである。他の構成および作用は、第８実施形態に示された空気浄化装置１０Ｇと異ならないので、同じ構成には同一符号を付して説明を省略する。
【００９３】
図１８に示された空気浄化装置１０Ｈは、筒状ダクト１１内の上流側じゃま板２１にキャップ状の集塵フィルタ４８Ａを設けたものである。集塵フィルタ４８Ａは上流側じゃま板２１の中央開口部（中央入口部）を上流側から覆設したものである。集塵フィルタ４８Ａをキャップ状とすることで、フィルタ面積を増大させることができ、集塵フィルタ４８Ａ自体の目詰まりを有効的に防止できる一方、この集塵フィルタ４８Ａで塵芥等の異物が除去され、清浄な空気が担持体上流側領域２４に案内される。したがって、担持体上流側領域２４から触媒担持体２０を通って担持体下流側領域２５に導かれる空気による触媒担持体２０の目詰まりが効率よく有効的に防止され、集塵フィルタ４８Ａの交換インターバルを長期化することができる。
【００９４】
変形例に示された空気浄化装置１０Ｈは、上流側じゃま板２１に集塵フィルタ４８Ａを装着し、この集塵フィルタ４８Ａを上流側に向って凸形をなすキャップ状に形成したので、集塵フィルタ４８Ａのフィルタ面積が大きくなり、集塵フィルタ４８Ａを通る空気通過流速が小さくなり、通風抵抗を小さくするとともに、集塵フィルタ４８Ａの目詰まりがしにくくなる。
【００９５】
なお、集塵フィルタ４８Ａはキャップ状とした例を示したが、上流側に向って凸形状であれば、種々のフィルタ形状が考えられる。
【００９６】
［第９実施形態］
図２０および図２１は、本発明に係る空気浄化装置の第９実施形態を示すものである。
【００９７】
この実施形態に示された空気浄化装置１０Ｉは、筒状ダクト１１内に格納される触媒担持体２０Ｂを多重筒構造の筒状担持体で構成し、この触媒担持体２０Ｂを下流側じゃま板５０で片持梁状に支持したものである。第２実施形態に示された空気浄化装置１０Ａと同じ構成には同一符号を付して説明を省略する。
【００９８】
下流側じゃま板５０は内周フランジ状をなし、筒状ダクト１１内の内周壁に取り付けられて固定される一方、この下流側じゃま板５０の上流側に多重の筒状構造の触媒担持体５１が上流側に延設されて片持梁状に取り付けられる。
【００９９】
触媒担持体５１は、担持体外筒５２とこの外筒５２内に格納される担持体内筒５３とを有する多重筒構造で形成され、この担持体内筒５３および担持体外筒５２の上流側は、端板としてのリング状あるいは環状の上流側じゃま板５４で閉塞される。担持体内筒５３の下流側は閉塞板５５で閉塞される。この閉塞板５５は、ディスク状端板として形成され、下流側じゃま板５０に複数のブリッジを介して一体に構成し、下流側じゃま板５０の一部を構成してもよい。また、閉塞板５０は円周フランジ状の下流側じゃま板５０から独立した構成としてもよい。この場合、担持体内筒５２は環状の上流側じゃま板５４に片持梁状に支持されて担持体外筒５２内に格納される。
【０１００】
しかして、筒状ダクト１１の内周壁と担持体外筒５２との間および担持体内筒５３内に、上流側じゃま板５４と下流側じゃま板５０との間で、担持体上流側領域５６が形成され、担持体外筒５２と担持体内筒５３との間に担持体下流側領域５７が形成される。担持体下流側領域５７はスリーブ状の流路を構成している。
【０１０１】
また、担持体上流側領域５６は、筒状ダクト１１と担持体外筒５２との間に形成されたスリーブ状の筒状流路５８と担持体内筒５３内に形成される中央流路５９とから中心軸を共有する構造に形成される。担持体上流側領域５６は上流側じゃま板５４により形成される開口部（入口部）を介してダクト内上流側流路１２ａに連通される。上流側じゃま板５４に形成される開口部は、ダクト内周壁とリング状の上流側じゃま板５４に形成される環状開口部と上流側じゃま板５４内に形成される中央開口部とにより形成される。
【０１０２】
また、担持体上流側領域５６（５８，５９）は、触媒担持体５１の担持体外筒５２および担持体内筒５３を介して環状あるいはスリーブ状の担持体下流側領域５７に連通され、この担持体下流側領域５６は、下流側じゃま板５０内の開口部を介してダクト内下流側流路１２ｂに連通される。
【０１０３】
この空気浄化装置１０Ｉは、触媒担持体５１が環状あるいはスリーブ状の担持体外筒５２および担持体内筒５３により多重筒構造に構成されているので、触媒担持体５１を通過する空気の通過面積を大幅に増大させることができ、空気は触媒担持体５１の厚い層を通過したものと等価となる。したがって、触媒担持体５１に担持された酸化あるいは還元触媒と接触し、付着し、または接近する空気量が増大し、酸化または還元反応によって分解される物質が増大し、大きな空気浄化効果が得られる。
【０１０４】
第９実施形態に示された空気浄化装置１０Ｉは、筒状ダクト１１のダクト上流側流路１２ａを案内される空気流は、上流側じゃま板５４により分流されて触媒担持体５１の担持体上流側領域５６に導かれる。その際、担持体上流側領域５６にダクト上流側流路１２ａを通る空気流がスムーズに案内されるように、上流側に突出するガイドメンバを設けてもよい。
【０１０５】
担持体上流側領域５６では、空気流は、環状の筒状流路５８と中央流路５９とに分流され、筒状流路５８に案内された空気流は担持体外筒５２を通って担持体下流側領域５７に、また、中央流路５９に案内された空気流は担持体内筒５３を通って担持体下流側領域５７にそれぞれ導かれる。このため、触媒担持体５１の空気通過面積を大幅に増大させることができ、通風抵抗を減少させることができる他、空気流が触媒に接触し、付着し、または接近して酸化または還元処理される。この触媒反応によって分解される物質が増加し、大きな空気浄化効果が得られる。
【０１０６】
なお、第９実施形態に示された空気浄化装置１０Ｉにおいて、触媒担持体の空気通過面積をより一層増大させるために、下流側じゃま板５０や閉塞板５５を触媒担持体５１と同様な触媒担持体で構成してもよい。この場合、下流側じゃま板５０や閉塞板５５の触媒担持体は筒状触媒担持体５１の肉厚より厚肉に形成される。
【０１０７】
この空気浄化装置１０Ｉでは、触媒担持体５１とダクト内周壁との間のスリーブ状空間および担持体内筒５３内の空間を担持体上流側領域５６に、担持体内筒５３とその外筒５２とのスリーブ状空間を担持体下流側領域５７にそれぞれ形成した例を示したが、担持体上流側領域５５と担持体下流側領域５７は逆であってもよい。
【０１０８】
すなわち、担持体内筒５３と外筒５２との間のスリーブ状空間を担持体上流側領域に形成し、残りを担持体下流側領域に形成してもよい。
【０１０９】
［第１０実施形態］
図２２および図２３は、本発明に係る空気浄化装置の第１０実施形態を示すものである。
【０１１０】
この実施形態に示された空気浄化装置１０Ｊは、筒状ダクト１１内に設けられたディスク状の上流側じゃま板６０に柱状の触媒担持体６１が片持梁状に、ダクト１１の長手方向に延設されるように格納される。触媒担持体６１は角柱状あるいは円柱状の柱体６２を有し、この柱体６２に軸方向（長手方向）に貫通する多数の貫通孔が形成される。貫通孔の一部、例えば大径の貫通孔は上流側じゃま板６０で閉塞され、残りの貫通孔はディスク状端板としての下流側じゃま板６５で閉塞される。
【０１１１】
下流側じゃま板６５で閉塞される多数の貫通孔により、上流側じゃま板６０と下流側じゃま板６５の間に、担持体上流側領域６６が形成される。この担持体上流側領域６６は触媒担持体６１を介して担持体下流側領域６７に連通される。担持体下流側領域６７は、筒状ダクト内周壁と触媒担持体６１との間に形成されるスリーブ状あるいは環状のスリーブ領域６８と、触媒担持体６１の貫通孔により形成される孔状領域６９とから構成される。
【０１１２】
担持体上流側領域６６は、上流側じゃま板６０の開口である多数の連通孔を介してダクト上流側流路１２ａに連通され、担持体下流側領域６７は、下流側じゃま板６５のか環状開口および連通孔を介してダクト下流側流路１２ｂに連通される。
【０１１３】
第１０実施形態の空気浄化装置１０Ｊにおいても、担持体上流側領域６６から触媒担持体６１を通して担持体下流側領域６７に至る通風面積を増大させることができ、担持体上流側領域６６に導かれた空気は大きな通風面積をもって担持体下流側領域６７に案内される。このため、触媒担持体６１の空気通過面積を大幅に増大させることができ、空気流が触媒に接触し、付着し、または接近して酸化または還元処理される。したがって、この触媒反応によって分解される物質が増加し、大きな空気浄化効果が得られる。
【０１１４】
この空気浄化装置１０Ｊは、濾過式集塵機に似た構成となるが、濾過式集塵機とは異なり、触媒担持体６１の目を粗く、触媒担持体６１の担持体上流側領域６６と担持体下流側領域６７の厚みを薄くし、長手方向長さを適宜大きくとると、第２実施形態に示された空気浄化装置１０Ａの触媒担持体２０より通風抵抗を小さくとることができる。触媒担持体６１の通風抵抗を小さく、通風量を増大させると、酸化または還元反応によって分解される物質が増加し、大きな空気浄化効果が得られる。
【図面の簡単な説明】
【０１１５】
【図１】本発明に係る空気浄化装置の第１実施形態を示す側断面図（縦断面図）。
【図２】図１のＩＩ−ＩＩ線に沿う横断面図。
【図３】本発明に係る空気浄化装置における送風機の静圧（Ｐ）−流量（Ｑ）特性と、通風抵抗を示す図。
【図４】本発明に係る空気浄化装置の第２実施形態を示す側断面図（縦断面図）。
【図５】図４のＶ−Ｖ線に沿う横断面図。
【図６】本発明に係る空気浄化装置の第３実施形態を示す側断面図。
【図７】図６のＶＩＩ−ＶＩＩ線に沿う横断面図。
【図８】本発明に係る空気浄化装置の第４実施形態を示す側断面図。
【図９】図８のＩＸ−ＩＸ線に沿う横断面図。
【図１０】本発明に係る空気浄化装置の第５実施形態を示す側断面図。
【図１１】図１０のＸＩ−ＸＩ線に沿う横断面図。
【図１２】本発明に係る空気浄化装置の第６実施形態を示す側断面図。
【図１３】図１２のＸＩＩＩ−ＸＩＩＩ線に沿う横断面図。
【図１４】本発明に係る空気浄化装置の第７実施形態を示す側断面図。
【図１５】図１４のＸＶ−ＸＶ線に沿う横断面図。
【図１６】本発明に係る空気浄化装置の第８実施形態を示す側断面図。
【図１７】図１６のＸＶＩＩ−ＸＶＩＩ線に沿う横断面図。
【図１８】本発明に係る空気浄化装置の第８実施形態の変形例を示す側断面図。
【図１９】図１８のＸＩＸ−ＸＩＸ線に沿う横断面図。
【図２０】本発明に係る空気浄化装置の第９実施形態を示す側断面図。
【図２１】図２０のＸＸＩ−ＸＸＩ線に沿う横断面図。
【図２２】本発明に係る空気浄化装置の第１０実施形態を示す側断面図。
【図２３】図２２のＸＸＩＩＩ−ＸＸＩＩＩ線に沿う横断面図。
【図２４】従来の空気浄化装置を示す側断面図（縦断面図）。
【図２５】図２４のＸＸＶ−ＸＸＶ線に沿う横断面図。
【図２６】従来の空気浄化装置における送風機の静圧（Ｐ）−流量（Ｑ）特性および通風抵抗をそれぞれ示す図。
【符号の説明】
【０１１６】
１０，１０Ａ〜１０Ｊ  空気浄化装置
１１  ダクト
１２  ダクト内流路
１２ａ  上流側流路
１２ｂ  下流側流路
１３，２０，２０Ａ，３０，３５，４０，５１，６１  触媒担持体
１５，２４，５６，６６  担持体上流側領域
１６，２５，５７，６７  担持体下流側領域
１７，２１，５４，６０  上流側じゃま板
２３  筒状担持体
３１，３６  仕切担持体プレート
３８  クロスバー
３９  連結バー（補強マンドレル）
４３  筒状弾性部材
４４  スペーサ
４６  ヘリカルプレート
５２  担持体外筒
５３  担持体内筒
５５  閉塞板
５８  筒状流路
５９  中央流路
６２  柱体
６８  スリーブ領域
６９  孔状領域
【図１】
2007089754.tif 000003
【図２】
2007089754.tif 000004
【図３】
2007089754.tif 000005
【図４】
2007089754.tif 000006
【図５】
2007089754.tif 000007
【図６】
2007089754.tif 000008
【図７】
2007089754.tif 000009
【図８】
2007089754.tif 000010
【図９】
2007089754.tif 000011
【図１０】
2007089754.tif 000012
【図１１】
2007089754.tif 000013
【図１２】
2007089754.tif 000014
【図１３】
2007089754.tif 000015
【図１４】
2007089754.tif 000016
【図１５】
2007089754.tif 000017
【図１６】
2007089754.tif 000018
【図１７】
2007089754.tif 000019
【図１８】
2007089754.tif 000020
【図１９】
2007089754.tif 000021
【図２０】
2007089754.tif 000022
【図２１】
2007089754.tif 000023
【図２２】
2007089754.tif 000024
【図２３】
2007089754.tif 000025
【図２４】
2007089754.tif 000026
【図２５】
2007089754.tif 000027
【図２６】
2007089754.tif 000028